(57)【要約】      （修正有）【課題】電解質膜へと加えられる圧力を直接的に検知することが可能な、燃料電池を提供する。【解決手段】電解質膜１及び当該電解質膜１の両側に配設される電極２ａ、３ａを備えるＭＥＡと、ＭＥＡの外側に配設されるセパレータとを備える単セル…が積層されて形成されるセル積層体を備え、１以上の単セルの内部に、電解質膜１に加えられる圧力を検知すべき圧力検知手段１０が備えられている、燃料電池とする。【選択図】図２
2006260907.tif 000002
【特許請求の範囲】
【請求項１】
電解質膜及び該電解質膜の両側に配設される電極を備えるＭＥＡと、該ＭＥＡの外側に配設されるセパレータとを備える単セル、を備えるセル積層体を備え、
１以上の前記単セルの内部に、前記電解質膜に加えられる圧力を検知すべき圧力検知手段が備えられていることを特徴とする、燃料電池。
【請求項２】
前記圧力検知手段が、前記電解質膜に備えられていることを特徴とする、請求項１に記載の燃料電池。
【請求項３】
前記圧力検知手段が、前記電解質膜の積層面の法線方向に加えられる圧力を検知可能であることを特徴とする、請求項１又は２に記載の燃料電池。
【請求項４】
前記圧力検知手段が、前記電解質膜の積層面方向に加えられる圧力を検知可能であることを特徴とする、請求項１又は２に記載の燃料電池。
【請求項５】
前記圧力検知手段が、ピエゾ素子であることを特徴とする、請求項１〜４のいずれか１項に記載の燃料電池。
【請求項６】
複数の前記圧力検知手段を備える前記電解質膜が備えられることを特徴とする、請求項１〜５のいずれか１項に記載の燃料電池。
【請求項７】
前記セル積層体の端部に配設されて該セル積層体に締結圧力を加えるべき締結手段と、前記締結圧力を制御すべき制御手段とをさらに備え、
前記電解質膜の積層面と平行に備えられる前記圧力検知手段を介して検知された圧力の値に基づいて、前記締結圧力が制御されることを特徴とする、請求項１〜３、５、又は６のいずれか１項に記載の燃料電池。
【発明の詳細な説明】
【技術分野】
【０００１】
本発明は、燃料電池に関し、特に、電解質膜に加えられる圧力を直接的に検知することが可能な燃料電池に関する。
【背景技術】
【０００２】
燃料電池は、電解質と、当該電解質の両側に配置される電極（カソード及びアノード）とを備える膜電極接合体（以下において、「ＭＥＡ（Membrane Electrode Assembly）」と記述する。）における電気化学反応により発生した電気エネルギーを、ＭＥＡの両側に配設されるセパレータを介して外部に取り出している。燃料電池の中でも、家庭用コージェネレーション・システムや自動車等に使用される固体高分子型燃料電池（以下において、「ＰＥＦＣ（Polymer Electrolyte Fuel Cell）」と記述する。）は、低温領域での運転が可能である。また、ＰＥＦＣは、高いエネルギー変換効率を示し、起動時間が短く、かつシステムが小型軽量であることから、電気自動車や携帯用電源の最適な動力源として注目されている。
【０００３】
ＰＥＦＣの単セルは、電解質膜、少なくとも触媒層を備えるカソード及びアノード、並びに、セパレータを含み、その理論起電力は１．２３Ｖである。しかし、かかる低起電力では電気自動車等の動力源として不十分である。そのため、通常は、単セルを直列に積層した積層体の積層方向両端にエンドプレート等を配置して構成されるスタック形態のＰＥＦＣが使用されている。そして、かかる形態のＰＥＦＣにおける各構成部材間の接触抵抗を低減するため、通常のＰＥＦＣでは、締結圧力が加えられている。
【０００４】
ところで、ＰＥＦＣの発電時には、カソード電極内の電気化学反応により水が生成される。かかる水は、電解質膜を加湿し電解質膜の湿潤状態を維持することで当該電解質膜のプロトン伝導性能発現等に寄与し得るが、例えば、カソード電極内で多量の水が生成されると、ＭＥＡ内の電解質膜や電極等（以下において、単に「電解質膜等」と記述する。）が膨張する。ここで、スタック形態のＰＥＦＣには、端部から締結圧力が加えられている。そのため、このようにして電解質膜等が膨張すると、これらの構成部材へと加えられる圧力が増加するため、電解質膜等が損傷しやすい。
【０００５】
他方、水が生成されない非発電時におけるＰＥＦＣの電解質膜等は、乾燥し、収縮しやすい。そのため、ＰＥＦＣの発電・停止が繰り返されると、膨張・収縮が繰り返される電解質膜等が損傷しやすい。ここで、電解質膜はアノード電極にて発生するプロトンをカソード電極へと伝導する役割を担っている。そのため、電解質膜が損傷すると、ＰＥＦＣの発電性能及び耐久性が低下しやすい。したがって、ＰＥＦＣの発電性能向上及び耐久性向上を実現するためには、ＰＥＦＣ内部の膨張収縮状態等を外部から把握することで、ＰＥＦＣの性能低下を未然に防止可能とすることが望まれる。
【０００６】
ＰＥＦＣ内部の膨張収縮状態等を外部から把握可能とすることを目的とした技術は、これまでにいくつか開示されてきている。例えば、特許文献１には、燃料電池スタックの端部に面圧センサを複数設置し、検知した面圧に応じて締結圧力を制御可能な燃料電池に関する技術が開示されており、かかる技術によれば、接触抵抗を均一に低減した状態の燃料電池とすることが可能になるので、燃料電池の運転効率を高めることが可能になるとしている。
【特許文献１】特開２００１−９３５６４号公報
【発明の開示】
【発明が解決しようとする課題】
【０００７】
しかし、特許文献１に開示されている技術では、ＰＥＦＣスタック内部全体の面圧を検知しているため、ＰＥＦＣスタックを構成する各単セル内部の圧力を直接的に検知できない。そのため、単セルに備えられる電解質膜自体に加えられている圧力を直接的に検知することが困難であるという問題があった。
【０００８】
そこで本発明は、電解質膜に加えられる圧力を直接的に検知することが可能な、燃料電池を提供することを課題とする。
【課題を解決するための手段】
【０００９】
上記課題を解決するために、本発明は以下の手段をとる。すなわち、
請求項１に記載の発明は、電解質膜及び当該電解質膜の両側に配設される電極を備えるＭＥＡと、ＭＥＡの外側に配設されるセパレータとを備える単セル、を備えるセル積層体を備え、１以上の単セルの内部に、電解質膜に加えられる圧力を検知すべき圧力検知手段が備えられていることを特徴とする、燃料電池により、上記課題を解決する。
【００１０】
ここに、単セルの内部とは、一対のセパレータによって挟まれる領域を意味し、具体的には、セパレータによって挟まれる電解質膜の内部、電解質膜の表面、電極の電解質膜側の表面等を意味している。さらに、電解質膜とセパレータとが当接する場合には、電解質膜と当接すべきセパレータの表面に、圧力検知手段が備えられていても良く、単セルに拡散層が備えられる場合には、電解質膜と当接すべき拡散層の表面に、圧力検知手段が備えられていても良い。また、「電解質膜に加えられる圧力を検知」とは、電解質膜へと加えられる圧力自体を検知可能な形態のほか、電解質膜へと加えられる圧力に起因する物性値を検知し、その検知された物性値を解析することにより圧力が導出される形態をも含む概念である。
【００１１】
請求項２に記載の発明は、請求項１に記載の燃料電池において、圧力検知手段が、前記電解質膜に備えられていることを特徴とする。
【００１２】
請求項３に記載の発明は、請求項１又は２に記載の燃料電池において、圧力検知手段が、電解質膜の積層面の法線方向に加えられる圧力を検知可能であることを特徴とする。
【００１３】
ここに、積層面とは、単セルの積層方向を法線方向とする平面を意味している。
【００１４】
請求項４に記載の発明は、請求項１又は２に記載の燃料電池において、圧力検知手段が、電解質膜の積層面方向に加えられる圧力を検知可能であることを特徴とする
【００１５】
ここに、積層面方向とは、積層面と平行な方向を意味している。
【００１６】
請求項５に記載の発明は、請求項１〜４のいずれか１項に記載の燃料電池において、圧力検知手段が、ピエゾ素子であることを特徴とする。
【００１７】
請求項６に記載の発明は、請求項１〜５のいずれか１項に記載の燃料電池において、複数の圧力検知手段を備える電解質膜が備えられることを特徴とする。
【００１８】
請求項７に記載の発明は、請求項１〜３、５、又は６のいずれか１項に記載の燃料電池において、セル積層体の端部に配設されて当該セル積層体に締結圧力を加えるべき締結手段と、締結圧力を制御すべき制御手段とをさらに備え、電解質膜の積層面と平行に備えられる圧力検知手段を介して検知された圧力の値に基づいて、締結圧力が制御されることを特徴とする。
【発明の効果】
【００１９】
請求項１に記載の発明によれば、単セルの内部に、電解質膜に加えられる圧力を検知すべき圧力検知手段が備えられている。したがって、当該圧力検知手段により電解質膜へと加えられる圧力を直接的に検知することが可能な、燃料電池を提供することが可能になる。
【００２０】
請求項２に記載の発明によれば、圧力検知手段が、電解質膜に備えられているので、電解質膜自体へと加えられる圧力を直接的に、かつ、正確に検知することが可能な、燃料電池を提供することが可能になる。
【００２１】
請求項３に記載の発明によれば、圧力検知手段が、電解質膜の積層面の法線方向に加えられる圧力を検知可能である。そのため、電解質膜の積層方向へと加えられる圧力を検知することが可能になり、電解質膜の、積層方向への膨張・収縮状態を検知可能な、燃料電池を提供することが可能になる。
【００２２】
請求項４に記載の発明によれば、圧力検知手段が、電解質膜の積層面方向に加えられる圧力を検知可能である。そのため、電解質膜の積層面へと加えられる引裂圧力を検知可能な、燃料電池を提供することが可能になる。
【００２３】
請求項５に記載の発明によれば、燃料電池に備えられる圧力検知手段がピエゾ素子である。ピエゾ素子は小型化・薄型化が容易であるため、圧力検知手段が備えられることで生じる、単セル内部の圧力状態の変化を抑制しつつ当該単セル内部の圧力をより正確に検知可能な、燃料電池を提供することが可能になる。
【００２４】
請求項６に記載の発明によれば、複数の圧力検知手段を備える電解質膜が備えられている。一枚の電解質膜に複数の圧力検知手段が備えられていれば、電解質膜の圧力状態をより正確に把握することが可能になる。したがって、かかる形態とすることで、より正確に電解質膜の圧力状態を把握し得る燃料電池を提供することが可能になる。
【００２５】
請求項７に記載の発明によれば、電解質膜へと加えられる圧力状態に応じて締結圧力を調整することが可能になる。電解質膜へと加えられる圧力が高い状態が長期間に亘って維持されると、電解質膜が破損されやすくなり、電解質膜及び燃料電池の寿命低下を招く。したがって、かかる形態とすることで、電解質膜の耐久性を向上させることが可能な、燃料電池を提供することが可能になる。
【発明を実施するための最良の形態】
【００２６】
ＰＥＦＣの電解質膜は、飽和状態に含水させることにより、プロトン伝導性電解質として機能するため、燃料電池の作動中には、加湿された反応ガスが単セルへ供給されている。そして、ＰＥＦＣの作動中には、電気化学反応により水が生成されるため、かかる水により電解質膜は膨張しやすい。一方で、ＰＥＦＣの単セルには、電解質膜、触媒層、及び、セパレータ等の各種構成部材が含まれており、構成部材間の接触界面が複数存在することから、当該接触界面の抵抗により、ＰＥＦＣの出力が低下しやすい。そのため、上記接触界面における抵抗を低減する観点から、スタック形態のＰＥＦＣはその端部から締結圧力が加えられており、電解質膜には圧力が加えられている。したがって、ＰＥＦＣの作動中に水を吸収して膨張すると、当該電解質膜へと加えられる圧力が増加する。
【００２７】
これに対し、ＰＥＦＣの停止時には、反応ガスの供給が停止されるとともに電気化学反応による水が生成されないことから、電解質膜は乾燥し、収縮しやすい。ここで、電解質膜が収縮すると、膨張時よりも、電解質膜へと加えられる圧力が低下する。そのため、ＰＥＦＣの起動・停止が繰り返されると、電解質膜へと加えられる圧力が変化する。このようにして電解質膜の圧力状態が変動すると、電解質膜が破損しやすく、この破損は、圧力変動の幅が大きい箇所等で特に顕著になる。電解質膜が破損すると、電解質膜のプロトン伝導性能が低下しクロスリークの頻度が増加するため、ＰＥＦＣの発電性能が低下し、さらに、耐久性も低下する。したがって、ＰＥＦＣの耐久性を向上させるためには、電解質膜の破損を防止することが必要であり、電解質膜の破損防止には、当該電解質膜の圧力状態を正確に検知すること、及び、この検知結果に基づいて締結圧力を制御することが重要である。しかし、これまでの技術は、燃料電池スタックの端部に面圧センサを配置することにより、単セルに含まれる電解質膜自体の圧力を間接的に検知するものに留まっており、電解質膜自体の圧力を直接的に検知することは困難であった。なお、上記従来技術にかかる面圧センサは、単セルよりも厚いため、当該面圧センサを、接触抵抗を増加させない形態で単セル内部に配設することは、極めて困難である。
【００２８】
本発明は、このような観点からなされたものであり、その要旨は、電解質膜に加えられる圧力を検知すべき圧力検知手段が単セルの内部に備えられる構成とすることで、電解質膜自体に加えられる圧力を検知可能とし、耐久性を向上させることが可能な燃料電池を提供することにある。
【００２９】
以下に図面を参照しつつ、本発明の燃料電池ついて具体的に説明する。
【００３０】
図１は、第１実施形態にかかる本発明の燃料電池に備えられる単セル、及び、第１実施形態にかかる燃料電池の形態例を示す概略図である。図１（Ａ）は、第１実施形態にかかる燃料電池に備えられる単セルの形態例を概略的に示す断面図であり、単セルの一部のみを示している。一方、図１（Ｂ）は、第１実施形態にかかる燃料電池の形態例を示す概略図である。図１において、直線矢印は、単セルの積層方向を示している。なお、以下において、単セルの積層方向を法線方向とする面を「積層面」と記述することがある。
【００３１】
図１（Ａ）に示すように、第１実施形態にかかる単セル５０は、圧力検知手段（図１では不図示）を備える電解質膜１と当該電解質膜１の両側に配設される電極としてのアノード触媒層２ａ及びカソード触媒層３ａとを備えるＭＥＡ５と、当該ＭＥＡ５の両側に配設されるアノード拡散層２ｂ及びカソード拡散層３ｂと、当該アノード拡散層２ｂ及びカソード拡散層３ｂの外側に配設されるセパレータ７ａ、７ｂとを備えている。単セル５０のアノード２は、アノード触媒層２ａ及びアノード拡散層２ｂを備える一方、カソード３は、カソード触媒層３ａ及びカソード拡散層３ｂを備えている。そして、セパレータ７ａのアノード２側には反応ガス流路８ａ、８ａ、…が、セパレータ７ｂのカソード３側には反応ガス流路８ｂ、８ｂ、…がそれぞれ形成されており、反応ガス流路８ａ、８ａ、…には水素含有反応ガス（以下において、「水素」と記述する。）が供給される一方、反応ガス流路８ｂ、８ｂ、…には酸素含有反応ガス（以下において、「空気」と記述する。）が供給され、これらの反対側の面には冷却媒体流路９、９、…が形成されている。
なお、以下において、アノード触媒層２ａ及びカソード触媒層３ａをまとめて単に「触媒層」と、また、アノード拡散層２ｂ及びカソード拡散層３ｂをまとめて単に「拡散層」と、それぞれ記述することがある。また、図示の単セル５０において、触媒層には、例えば、電気化学反応の触媒として機能する白金が担持された炭素粒子が備えられる一方、拡散層は、例えば、炭素繊維からなるカーボンペーパーにより構成されている。
【００３２】
単セル５０において、反応ガス流路８ａ、８ａ、…から供給される水素は、アノード拡散層２ｂを介してアノード触媒層２ａへと達し、当該触媒層２ａ内の触媒上で起こる電気化学反応により、水素から電子と水素イオンとが生成される。そして、アノード触媒層２ａにて発生した水素イオンは、電解質膜１を通ってカソード触媒層３ａへと達する。これに対して、反応ガス流路８ｂ、８ｂ、…から供給される空気は、カソード拡散層３ｂを介してカソード触媒層３ａへと供給され、当該触媒層３ａの触媒上で起こる電気化学反応により、水素イオン、酸素、及び電子から、水（水蒸気）が生成される。このようにして水が生成されると、例えば、かかる水の一部を電解質膜１が吸収することで、電解質膜１が膨張する。
【００３３】
一方、図１（Ｂ）に示すように、第１実施形態にかかる本発明の燃料電池１００は、外枠体９５に、複数の単セル５０、５０、…が積層されて形成されるセル積層体６０、板状部材９１、９２、及び、締結手段７０が備えられており、セル積層体６０に備えられる単セル５０、５０、…には、締結手段７０及び板状部材９１、９２を介して、締結圧力が加えられている。さらに、燃料電池１００には、後で詳述するように、締結手段７０の動作を制御する制御手段８０が備えられている。
なお、図１（Ｂ）では、セル積層体６０に備えられる一の単セル５０と制御手段８０とが信号伝達手段８７を介して接続される形態を示したが、本発明は当該形態に限定されるものではなく、複数の単セル５０、５０、…と制御手段８０とが信号伝達手段を介して接続される形態であっても良い。また、図１（Ｂ）では、圧力検知手段を備える単セル５０が複数備えられている燃料電池１００を示したが、本発明の燃料電池は、圧力検知手段を備える一以上の単セルを備えていれば良く、圧力検知手段を備える当該単セルの数は、特に限定されない。
【００３４】
このように、単セル５０には、締結圧力が加えられているため、燃料電池１００が作動して電解質膜１が膨張すると、当該電解質膜１へと加えられる圧力が増加する。一方、燃料電池１００の停止時には、上記電気化学反応による水が生成されないため、電解質膜１は乾燥し、収縮する。すなわち、燃料電池１００が起動・停止を繰り返すと、電解質膜１は膨張・収縮を繰り返し、当該電解質膜１へと加えられる圧力状態が変化する。そこで、第１実施形態にかかる燃料電池では、電解質膜１に圧力検知手段が備えられる形態とすることで、電解質膜１自体に加えられる圧力を正確に検知可能としている。
【００３５】
図２は、圧力検知手段の配置形態例を示す概略図であり、図２（Ａ）は、締結圧力が加えられている、圧力検知手段を備える電解質膜、触媒層、及び拡散層のみを簡略化して示す、アノード側から見た正面図、図２（Ｂ）は、図２（Ａ）の矢視図（断面図）である。なお、圧力検知手段及び触媒層の配置形態を容易に理解可能とするため、図２（Ａ）では、圧力検知手段及び触媒層を透視して、これらをそれぞれ実線及び破線で示し、電解質膜のカソード側に配設されるカソード触媒層及びカソード拡散層の符号を括弧書きにて付記している。また、図２（Ａ）において、単セルの積層方向は紙面に垂直な方向である一方、図２（Ｂ）の直線矢印は、単セルの積層方向である。以下、図１及び図２を適宜参照しつつ、圧力検知手段の配置形態について説明する。
【００３６】
図示のように、本発明にかかる単セル５０は、例えば、電解質膜１と、その積層面が電解質膜１の積層面よりも小さいアノード触媒層２ａ及びカソード触媒層３ａと、その積層面が電解質膜１の積層面よりも小さくアノード触媒層２ａ及びカソード触媒層３ａの積層面よりも大きいアノード拡散層２ｂ及びカソード拡散層３ｂとを備えている。そして、電解質膜１内の端部に圧力検知手段１０が備えられ、圧力検知手段１０には、電解質膜１へと加えられる圧力と関連する信号を外部へ伝達すべき電極１２、１２が備えられており、当該電極１２、１２は絶縁物により被覆されたワイヤ等により構成されている。かかる構造の電解質膜１は、例えば、圧力検知手段１０が溶融状態の電解質膜成分中に内蔵される形態で、圧力検知手段１０及び溶融状態の電解質成分を配置した後、電解質成分を乾燥させる等の方法により、作製可能である。そして、例えば、当該電解質膜１の一方の積層面にアノード触媒層２ａを、他方の積層面にカソード触媒層３ａを塗布し乾燥させることによりＭＥＡ５を作製した後、当該ＭＥＡ５の積層面にアノード拡散層２ｂ及びカソード拡散層３ｂをそれぞれ配設し、さらに、その外側からセパレータを介して圧力が加えられることにより、図２に示す電解質膜、触媒層、及び拡散層とすることが可能になる。
【００３７】
このように、圧力検知手段１０が電解質膜１内部の端部に備えられていれば、単セル内の接触抵抗を増加させること無く当該電解質膜１自体に加えられる圧力を正確に検知することが可能になる。さらに、第１実施形態にかかる圧力検知手段１０は、電解質膜１が触媒層及び拡散層と当接していない部位の内部に備えられているので、単セル５０で生じる電気化学反応を阻害する虞が少ない。そして、圧力検知手段１０には、電極１２、１２が備えられているため、後述するように、検知したデータを、例えば、制御手段８０へ出力することが可能になり、圧力検知手段１０による検知結果を利用して締結手段７０の動作を制御することが可能になる。なお、上述のように、電解質膜１が水を吸収して膨張すると、圧力検知手段１０によって検知される圧力が変化する。したがって、燃料電池１００において、圧力検知手段１０は、電解質膜１の膨潤検知手段として活用することも可能になる。
【００３８】
図３は、圧力検知手段の形態例を示す断面図であり、圧力検知手段を備える電解質膜の一部を概略的に示している。図３において、直線矢印は、単セルの積層方向を示している。なお、図３において、図２に示す構成部材と同様の構成を採る部位には図２で使用した符号と同符号を付し、その説明を省略する。
【００３９】
本実施形態にかかる圧力検知手段１０は、例えば、ピエゾ素子１１を絶縁物１３によって被覆することにより作製される。このような形態で、圧力検知手段１０にピエゾ素子１１が備えられていれば、ピエゾ素子１１に圧力が加えられることにより発生した電圧を解析することで、電解質膜１の積層方向（積層面の法線方向）へと加えられる圧力を検知することが可能になる。
【００４０】
以下に、図１〜図３を適宜参照しつつ、第１実施形態にかかる本発明の燃料電池における、締結圧力の制御について説明する。
【００４１】
図１（Ｂ）に示すように、本発明の燃料電池１００には、締結手段７０及び当該締結手段７０の動作を制御すべき制御手段８０が備えられており、単セル５０の圧力検知手段１０に備えられるピエゾ素子１１と制御手段８０とは、電極１２、測定手段（不図示）、及び信号伝達手段８７を介して連結されている。
【００４２】
燃料電池１００において、セル積層体６０へと締結圧力を加えるべき締結手段７０の動作は、制御手段８０によって制御される。制御手段８０には、締結圧力制御等を実行するＣＰＵ８２と、そのＣＰＵ８２に対する記憶装置とが設けられている。ＣＰＵ８２は、マイクロプロセッサユニット及びその動作に必要な各種周辺回路を組み合わせて構成され、ＣＰＵ８２に対する記憶装置は、例えば、締結圧力制御や圧力検知結果の解析に必要なプログラム等、及び、各種データを記憶するＲＯＭ８３と、ＣＰＵ８２の作業領域として機能するＲＡＭ８４等を組み合わせて構成される。当該構成に加えて、さらに、ＣＰＵ８２が、ＲＯＭ８３に記憶されたソフトウエアと組み合わされることにより、本発明の燃料電池１００における制御手段８０が機能する。
【００４３】
燃料電池１００において、締結手段７０の動作制御は、以下のようにして行われる。すなわち、単セル５０に備えられる圧力検知手段１０のピエゾ素子１１に圧力が加えられることにより発生した電圧に関する信号は、電極１２、測定手段、及び信号伝達手段８７、並びに、制御手段８０に備えられる入力ポート８１を経てＣＰＵ８２へと達し、検知結果が、制御手段８０に記憶されたプログラムに基づいて解析される。さらに、当該解析結果に関するデータが、制御手段８０に記憶されたプログラムに基づいて解析され、その結果に関する信号が、出力ポート８５を経て締結手段７０へ伝達されることにより、当該締結手段７０に対する動作指令が制御手段８０によって制御される。
【００４４】
このように、圧力検知手段１０の検知結果に基づく締結手段７０の動作制御が可能であれば、例えば、電解質膜１へと加えられる圧力が増加した場合には、締結手段７０により加えられる締結圧力を低減することで、電解質膜１へと加えられる圧力が過度に増加することを防止することが可能になる。さらに、燃料電池１００の停止時等に電解質膜１が収縮して電解質膜１へと加えられる圧力が減少した場合には、締結手段７０によって加えられる締結圧力を増加させることで、電解質膜１の圧力変動を抑制することも可能になる。したがって、かかる形態とすることで、耐久性を向上させ得る燃料電池１００を提供することが可能になる。
【００４５】
上記説明では、積層方向へと加えられる圧力を検知可能な形態で配置される、圧力検知手段について記述したが、本発明にかかる燃料電池に備えられる圧力検知手段の配置形態は当該形態に限定されるものではない。ここで、本発明にかかる圧力検知手段にピエゾ素子が備えられる場合、ピエゾ素子が検知可能な応力は、その軸方向へと加えられる応力である。そのため、積層方向以外の方向へと加えられる圧力を検知させる場合には、圧力検知手段の配置形態を変更する必要がある。そこで、以下に、図を参照しつつ、圧力検知手段の他の配置形態について説明する。
【００４６】
図４は、第２実施形態にかかる圧力検知手段の配置形態例を示す概略図であり、図４（Ａ）は、締結圧力が加えられている、圧力検知手段を備える電解質膜、触媒層、及び拡散層のみを簡略化して示す、アノード側から見た正面図、図４（Ｂ）は、図４（Ａ）の矢視図（断面図）である。なお、圧力検知手段及び触媒層の配置形態を容易に理解可能とするため、図４（Ａ）では、圧力検知手段及び触媒層を透視して、これらをそれぞれ実線及び破線で示し、電解質膜のカソード側に配設されるカソード触媒層及びカソード拡散層の符号を括弧書きにて付記している。図４（Ａ）において、単セルの積層方向は紙面に垂直な方向である一方、図４（Ｂ）の直線矢印は、単セルの積層方向である。なお、図４において、図２に示す構成部材と同様の構成を採る部位には図２で使用した符号と同符号を付し、その説明を省略する。
【００４７】
図４（Ｂ）に示すように、第２実施形態にかかる電解質膜１ａは、その内部に、第１実施形態にかかる圧力検知手段１０（図２（Ｂ）参照）を、ピエゾ素子の軸方向が積層面と平行な方向となるように９０度回転させた形態で配置された、圧力検知手段１０を備えている。そのため、第２実施形態によれば、単セル内の接触抵抗を増加させること無く圧力検知手段１０によって積層面と平行な方向へと加えられる圧力を検知することが可能になり、電解質膜の積層面へと加えられる引裂応力を検知することが可能になる。したがって、第１実施形態にかかる電解質膜１に代えて第２実施形態にかかる電解質膜１ａを備える燃料電池とすることで、電解質膜の積層面へと加えられる引裂応力を検知可能な、燃料電池を提供することが可能になる。
【００４８】
図５は、第３実施形態にかかる圧力検知手段の配置形態例を示す概略図であり、複数の圧力検知手段を備える電解質膜と、当該電解質膜の内部に備えられる各圧力検知手段の接続形態と、電解質膜へと加えられる圧力に起因する電圧を検知すべき測定手段とを簡略化して示す正面図である。図５では、圧力検知手段の配置形態を容易に理解可能とするため、圧力検知手段を透視して示しており、紙面に垂直な方向が、単セルの積層方向である。図５において、図２に示す構成部材と同様の構成を採る部位には図２で使用した符号と同符号を付し、その説明を省略する。
【００４９】
図５に示すように、第３実施形態にかかる電解質膜１ｂは、その端部の内部に、第１実施形態にかかる圧力検知手段１０と同様に積層方向へと加えられる圧力を検知可能な形態で配置された複数の圧力検知手段１０、１０、…を備え、さらに、電解質膜１ｂの外部に、電圧を検知すべき測定手段２０が備えられている。これら複数の圧力検知手段１０、１０、…は、それぞれ並列に接続されており、かかる並列回路には、基準電圧Ｅ１が負荷されている。図示の電解質膜１ｂでは、例えば、上記圧力検知手段１０、１０、…を経由しない場合に検知される電圧値と、上記それぞれの圧力検知手段１０、１０、…を経由した場合に検知される電圧値との差を、測定装置２０によって計測する。そして、その計測結果が制御手段によって解析されることで、各圧力検知手段１０、１０、…へと加えられている圧力が算出される。そのため、第３実施形態によれば、単セル内の接触抵抗を増加させることなく、複数の圧力検知手段１０、１０、…により、電解質膜１ｂの複数の部位に加えられる圧力を検知することが可能になる。したがって、例えば、第１実施形態にかかる電解質膜１に代えて、第３実施形態にかかる電解質膜１ｂを備える燃料電池とすれば、複数の圧力検知手段１０、１０、…の検知結果に基づいて締結手段の動作を制御することが可能になる。そのため、かかる形態とすることで、より効果的に耐久性を向上させることが可能な、燃料電池を提供することが可能になる。
【００５０】
上記説明では、電解質膜の内部に圧力検知手段が備えられる形態について記述したが、本発明において圧力検知手段が配設され得る部位は、電解質膜の内部に限定されるものではない。当該配設部位の他の具体例としては、電解質膜の表面、触媒層の電解質膜側の表面、電解質膜と当接すべきセパレータの表面、及び、電解質膜と当接すべき拡散層の表面等を挙げることができる。ただし、触媒層の積層面等に圧力検知手段が備えられると、単セルにおける電気化学反応が妨げられる虞がある。そのため、電気化学反応の反応効率低下を防止するという観点から、圧力検知手段は、電解質膜の端部表面、又は、電解質膜の端部内部等に備えられることが好ましい。
【００５１】
図６は、第４実施形態にかかる圧力検知手段の配置形態例を示す概略図であり、図６（Ａ）は、締結圧力が加えられている、圧力検知手段を備える電解質膜、触媒層、及び拡散層のみを簡略化して示す、アノード側から見た正面図、図６（Ｂ）は、図６（Ａ）の矢視図（断面図）である。なお、触媒層の配置形態を容易に理解可能とするため、図６（Ａ）では、触媒層を透視して破線で示し、電解質膜のカソード側に配設されるカソード触媒層及びカソード拡散層の符号を括弧書きにて付記している。図６（Ａ）において、単セルの積層方向は紙面に垂直な方向である一方、図６（Ｂ）の直線矢印は、単セルの積層方向である。なお、図６において、図２に示す構成部材と同様の構成を採る部位には図２で使用した符号と同符号を付し、その説明を省略する。
【００５２】
図６（Ｂ）に示すように、第４実施形態にかかる電解質膜１ｃは、その積層面の端部表面に圧力検知手段１０が備えられており、この圧力検知手段１０は、積層方向へと加えられる圧力を検知可能な形態で配設されている。このように、電解質膜１ｃの積層面表面に圧力検知手段１０が備えられる形態とすれば、電解質膜に触媒層及び拡散層を配設した後に、当該圧力検知手段１０を配設することが可能になり、圧力検知手段１０を配設する際の作業性を向上させることが可能になる。また、第４実施形態にかかる圧力検知手段１０は、電解質膜１ｃの積層面の端部表面に配設されているので、単セル内で起こる電気化学反応の反応効率を低下させることなく、当該電解質膜１ｃへと加えられる積層方向の圧力を検知することが可能になる。
【００５３】
上記説明では、圧力検知手段としてピエゾ素子が備えられる形態について記述したが、本発明に備えられ得る圧力検知手段は、例えば、電解質膜の内部に配置可能な程度の厚さ（例えば、電解質膜よりも薄い厚さ）を有するものであれば、特に限定されない。なお、電解質膜よりも薄い厚さ（例えば、１μｍ以下程度の厚さ）を有するピエゾ素子は、ＣＶＤやスパッタ等により形成することが可能である。
【００５４】
さらに、本発明において、ピエゾ素子等、圧力に関連するデータを検知する部位、及び、電極を被覆すべき絶縁物は、ノイズを低減してその測定結果をスムーズに出力可能とするものであれば、特に限定されない。当該絶縁物の具体例としては、フッ素系の樹脂（例えば、テフロン等。テフロンは、米国デュポン社の登録商標。）や、ポリエチレン等を挙げることができる。
【００５５】
また、本発明にかかる圧力検知手段の絶縁物の厚さは、可能な限り薄いことが好ましく、具体的には、１０〜１００μｍ以下等とすることが好ましい。
【００５６】
加えて、圧力検知手段の外形形状は特に限定されるものではないが、特に、圧力検知手段が電解質膜の内部に備えられる場合には、電解質膜の損傷を抑制するという観点から、その外形は円形とすることが好ましい。さらに、圧力検知手段は、配置する際の作業性や接触抵抗等を総合的に勘案して、適当な大きさとすることが可能であり、かかる大きさの具体例としては、縦３ｍｍ×横３ｍｍ程度等を挙げることができる。
【００５７】
また、上記説明では、ＭＥＡ側に反応ガス供給路が形成されている形態のセパレータを備える燃料電池について記述したが、本発明にかかる燃料電池が備え得るセパレータは当該形態に限定されるものではなく、例えば、ＭＥＡ側に反応ガス供給路が形成されていないフラットタイプのセパレータであっても良い。かかる形態の燃料電池とする場合には、セパレータと当接すべき層（燃料電池１００ではアノード拡散層及びカソード拡散層）を、めっき法や発泡法等により製造されるステンレス鋼、チタン又はニッケル等の発泡金属、あるいは焼結金属等の多孔体により形成し、当該層に反応ガスが供給される形態の燃料電池とすれば良い。
【００５８】
加えて、これまで、アノード拡散層及びカソード拡散層が備えられる形態の燃料電池について記述したが、本発明の燃料電池は当該形態に限定されるものではない。アノード拡散層及び／又はカソード拡散層が備えられなくても良好な発電性能が得られる場合には、アノード拡散層及び／又はカソード拡散層が備えられていない形態の燃料電池とすることも可能である。
【図面の簡単な説明】
【００５９】
【図１】第１実施形態にかかる本発明の燃料電池、及び、単セルの形態例を示す概略図である。
【図２】圧力検知手段の配置形態例を示す概略図である。
【図３】圧力検知手段の形態例を概略的に示す断面図である。
【図４】第２実施形態にかかる圧力検知手段の配置形態例を示す概略図である。
【図５】第３実施形態にかかる圧力検知手段の配置形態例を示す概略図である。
【図６】第４実施形態にかかる圧力検知手段の配置形態例を示す概略図である。
【符号の説明】
【００６０】
１、１ａ、１ｂ、１ｃ  電解質膜
２ａ  アノード触媒層（電極）
３ａ  カソード触媒層（電極）
５  ＭＥＡ
７ａ、７ｂ  セパレータ
１０  圧力検知手段
１１  ピエゾ素子
５０  単セル
６０  セル積層体
７０  締結手段
８０  制御手段
１００  燃料電池
【図１】
2006260907.tif 000003
【図２】
2006260907.tif 000004
【図３】
2006260907.tif 000005
【図４】
2006260907.tif 000006
【図５】
2006260907.tif 000007
【図６】
2006260907.tif 000008